(57)【要約】  【課題】  被乾燥物の内部に含まれる小さい固体状の塊によって垂直螺旋回転羽根または回転巻上羽根の回転が影響されることなく、乾燥槽内に投入された被乾燥物を効率良く乾燥することができる被乾燥物の乾燥装置及びその乾燥方法を提供する。  【解決手段】  密閉ケーシング２の上下面に回転自在に軸支された回転軸４を回転駆動する変速可能な駆動源５と、回転軸４に取付けられてケーシング２内に収容された有底の乾燥槽６と、乾燥槽６の底面６ａ近傍に下端部が位置するように乾燥槽６の伝熱面１０に外周端縁１２ａが接合された垂直螺旋回転羽根１２とから構成され、乾燥槽６の最下部に落下した被乾燥物Ｍを、乾燥槽６と共に回転する垂直螺旋回転羽根１２の断続的な回転角加速度によって上昇せしめられる過程で、その回転に伴う遠心力により被乾燥物Ｍを伝熱面１０に押し付け加熱せしめて含有する水分を蒸発させ、回転角加速度の増加によって最上部に達した被乾燥物Ｍを乾燥槽６の開口上端から溢流せしめるようにした。【選択図】    図１
2006200795.tif 000002
【特許請求の範囲】
【請求項１】
密閉されたケーシング２内を上下に貫通するように該ケーシング２の上下面に回転自在に軸支された回転軸４と、該回転軸４を回転駆動する変速可能な駆動源５と、上記回転軸４に取付けられて上記ケーシング２内に収容され上部が開口する有底の乾燥槽６と、該乾燥槽６の底面６ａ近傍に下端部が位置するように上記乾燥槽６内壁の伝熱面１０に該外周端縁１２ａが接合された垂直螺旋回転羽根１２とから成る乾燥装置であって、
上記ケーシングは、被乾燥物Ｍを上記乾燥槽６の開口部にバッチ投入する投入口を設けると共に、上記乾燥槽６の開口上端からケーシング２内へ溢れ出た被乾燥物Ｍを外部に排出する複数の排出口２８を配設し、上記乾燥槽６の外周全面には加熱手段１８が設けられて成り、
上記乾燥槽６の内部にバッチ投入されて最下部に落下した被乾燥物Ｍが、乾燥槽６と共に回転する上記垂直螺旋回転羽根１２の断続的な回転角加速度によって下から上へ上昇せしめられる過程で、その回転に伴う遠心力により被乾燥物Ｍを伝熱面１０に押し付け加熱せしめて含有する水分を蒸発させ、回転角加速度の増加によって最上部に達した被乾燥物Ｍを落下空間を通して最下部に落下させて含水率が低くなった被乾燥物Ｍを上記乾燥槽６の開口上端から溢流せしめて上記排出口２８から排出するようにしたことを特徴とする被乾燥物の乾燥装置。
【請求項２】
被乾燥物投入口１４を設けた密閉ケーシング２内を上下に貫通するように変速可能な駆動源５により回転可能に軸支された回転軸４に上部が開口する有底の乾燥槽６が取付けられ、上記回転軸４が挿通する底面近傍に下端部が位置するように垂直螺旋回転羽根１２の外周端縁が上記乾燥槽６内壁の伝熱面１０に接合されると共に、上記乾燥槽６外周全面に加熱手段１８が設けられて成り、
上記被乾燥物投入口１４から上記乾燥槽６内にバッチ投入された被乾燥物Ｍを、乾燥槽６と共に回転する上記垂直螺旋回転羽根１２の断続的な回転角加速度によって下から上へ上昇せしめられる過程で、その回転に伴う遠心力により被乾燥物Ｍを伝熱面１０に押し付け加熱せしめて含有する水分を蒸発させ、最上部に達した被乾燥物Ｍを落下空間Ｋ１を通して最下部に落下させると共に、含水率が低くなった被乾燥物Ｍを回転角加速度の増加によって上昇させて上記乾燥槽６の開口上端から溢流せしめて複数の排出口２８から排出するようにしたことを特徴とする被乾燥物の乾燥方法。
【請求項３】
密閉されたケーシング４０内を上下に貫通するように該ケーシング４０の上下面に回転自在に軸支された回転軸４と、該回転軸４を回転駆動する変速可能な駆動源５と、上記回転軸４に取付けられて上記ケーシング４０内に収容され上部が開口する有底の乾燥槽３６と、該乾燥槽３６の底面近傍に下端部が位置するように上記乾燥槽３６内壁の伝熱面に平面から見て円周範囲の中で配設される複数枚の基羽根４７の外周端縁４７ａが接合された回転巻上羽根４５とから成る乾燥装置であって、
上記複数枚の基羽根４７のそれぞれは、下方に配置される基羽根４７の上端縁４３の高さ位置が、上方に配置される基羽根４７の下端縁４１と同一高さ位置または該下端縁４１の高さより高い位置に近接配置されて成り、
上記ケーシングは、被乾燥物Ｍを上記乾燥槽３６の開口部にバッチ投入する投入口１４を設けると共に、上記乾燥槽３６の開口上端からケーシング４０内へ溢れ出た被乾燥物Ｍを外部にバッチ排出する複数の排出口２８を配設し、上記乾燥槽６の外周全面には加熱手段１８が設けられて成り、
上記乾燥槽３６の内部にバッチ投入されて最下部に落下した被乾燥物Ｍが、乾燥槽３６と共に回転する上記複数の基羽根４７のそれぞれの断続的な回転角加速度によって上方に巻き上げられると共に、その回転に伴う遠心力により被乾燥物Ｍを伝熱面１０に押し付けることにより薄膜状に広げられ加熱せしめて含有する水分を蒸発させ、最上部に達した被乾燥物Ｍを落下空間Ｋ１を通して最下部に落下させると共に、含水率が低くなった被乾燥物Ｍを回転角加速度の増加によって上記乾燥槽３６の開口上端から溢流せしめて上記排出口２８から排出するようにしたことを特徴とする被乾燥物の乾燥装置。
【請求項４】
被乾燥物投入口１４を設けた密閉ケーシング４０内を上下に貫通するように変速可能な駆動源５により回転可能に軸支された回転軸４に上部が開口する有底の乾燥槽３６が取付けられ、該乾燥槽３６内壁の伝熱面１０には、上記回転軸４が挿通する底面近傍に下端部が位置するように平面から見て円周範囲の中で配設される複数枚の基羽根４７の外周端縁４７ａが接合され、上記複数枚の基羽根４７のそれぞれは、下方に配置される基羽根４７の上端縁４３の高さ位置が、上方に配置される基羽根４７の下端縁４１と同一高さ位置または該下端縁４１の高さより高い位置に近接配置されるとともに、上記乾燥槽６外周全面には加熱手段１８が設けられて成り、
上記被乾燥物投入口１４から上記乾燥槽内にバッチ投入された被乾燥物Ｍを、乾燥槽３６と共に回転する上記複数の基羽根４７のそれぞれの断続的な回転角加速度によって上方に巻き上げられると共に、その回転に伴う遠心力により被乾燥物Ｍを伝熱面１０に押し付けることにより薄膜状に広げられ加熱せしめて含有する水分を蒸発させ、最上部に達した被乾燥物Ｍを落下空間Ｋ１を通して最下部に落下させると共に、含水率が低くなった被乾燥物Ｍを回転角加速度の増加によって上昇させて上記乾燥槽３６の開口上端から溢流せしめて上記排出口２８から排出するようにしたことを特徴とする被乾燥物の乾燥方法。
【発明の詳細な説明】
【技術分野】
【０００１】
本発明は、被乾燥物の乾燥装置及びその乾燥方法の改良に係り、更に詳しくは水分ないし油分を含む被乾燥物の乾燥装置及びその乾燥方法に関する。
【背景技術】
【０００２】
従来に於ける被乾燥物の乾燥装置及びその乾燥方法では、被乾燥物を攪拌流動せしめる為に、被乾燥物の種類によっては団子状態となってしまい良好に攪拌されない部分が出てくる。これにより、被乾燥物全体の攪拌が良好に行われず、且つ伝熱面から遠い所では伝熱面からの熱が直接被乾燥物に伝わりにくく、乾燥が良好に行われない不具合を有し、狭い範囲で被乾燥物が流動する状態になり、被乾燥物が伝熱面に接触する回数が減り、乾燥が良好に行われない不具合を有していた。
【０００３】
上記のような問題点を解決した乾燥方法として、乾燥槽に螺旋回転羽根を用いた被乾燥物の乾燥方法（特許文献１参照）や、更にこれを改良した乾燥方法として乾燥槽に回転巻上羽根を用いた被乾燥物の乾燥方法（特許文献２参照）が知られている。
【０００４】
前者の乾燥方法は、水分を多く含む液状体或いはスラリー状の半固体の被乾燥物を乾燥槽に投入し、回転軸に取り付けられた垂直螺旋回転羽根の回転に伴う遠心力により上記乾燥槽の伝熱面に押し付けて含有する水分を蒸発させ、含水率が少なくなった被乾燥物を含水率の高い被乾燥物と入れ換えるようにして空間に臨む蒸発面に移動しつつ乾燥させるようにしたものである。
【０００５】
また、後者の乾燥方法は、上記同様に含水率の高い被乾燥物を乾燥槽に投入し、回転軸に取り付けられた回転巻上羽根を構成する複数枚の基羽根のそれぞれの回転により、乾燥槽内低部に位置する被乾燥物を上方へ巻き上げる遠心力により上記乾燥槽の伝熱面に押し付けるだけでなく、巻き上げられた被乾燥物を上段の複数の基羽根のそれぞれにより更に上方へ巻き上げつつ遠心力により上方の伝熱面に押し付けて乾燥させるようにしたものである。
【０００６】
【特許文献１】特許公報第２６２７３９９号公報（段落００１６〜００１９，図１及び図４）
【特許文献２】特許公報第３０５７５４４号公報（段落００１２〜００１４，図６及び図８）
【発明の開示】
【発明が解決しようとする課題】
【０００７】
しかしながら、上記のような従来の技術は、前者の垂直螺旋回転羽根及び後者の回転巻上羽根は伴に回転軸に取付けられていて、乾燥槽の内部で回転するものであるから両者の垂直螺旋回転羽根、並びに回転巻上羽根の外周と上記乾燥槽の伝熱面との間には全周に亘って僅かな間隙が形成される。
【０００８】
従って、投入された被乾燥物の内部に小さい固体状の塊が存在すると、その塊が垂直螺旋回転羽根又は回転巻上羽根の外周と乾燥槽の伝熱面との間に挟みこまれた際に、羽根の一部が破損するか回転軸を駆動するモータに大きな負荷が作用し、延いてはモータの焼損を招く問題を有していた。
【０００９】
本発明は、このような問題点に着目してなされたもので、被乾燥物の内部に含まれる小さい固体状の塊によって垂直螺旋回転羽根または回転巻上羽根の回転が影響されることなく、乾燥槽内に投入された被乾燥物を効率良く乾燥することができる被乾燥物の乾燥装置及びその乾燥方法を提供することを目的とする。
【課題を解決するための手段】
【００１０】
上記の目的を解決するために、本発明の請求項１に記載の被乾燥物の乾燥装置は、密閉されたケーシング２内を上下に貫通するように該ケーシング２の上下面に回転自在に軸支された回転軸４と、該回転軸４を回転駆動する変速可能な駆動源５と、上記回転軸４に取付けられて上記ケーシング２内に収容され上部が開口する有底の乾燥槽６と、該乾燥槽６の底面６ａ近傍に下端部が位置するように上記乾燥槽６内壁の伝熱面１０に該外周端縁１２ａが接合された垂直螺旋回転羽根１２とから成る乾燥装置であって、
上記ケーシングは、被乾燥物Ｍを上記乾燥槽６の開口部にバッチ投入する投入口を設けると共に、上記乾燥槽６の開口上端からケーシング２内へ溢れ出た被乾燥物Ｍを外部に排出する複数の排出口２８を配設し、上記乾燥槽６の外周全面には加熱手段１８が設けられて成り、
上記乾燥槽６の内部にバッチ投入されて最下部に落下した被乾燥物Ｍが、乾燥槽６と共に回転する上記垂直螺旋回転羽根１２の断続的な回転角加速度によって下から上へ上昇せしめられる過程で、その回転に伴う遠心力により被乾燥物Ｍを伝熱面１０に押し付け加熱せしめて含有する水分を蒸発させ、回転角加速度の増加によって最上部に達した被乾燥物Ｍを落下空間を通して最下部に落下させて含水率が低くなった被乾燥物Ｍを上記乾燥槽６の開口上端から溢流せしめて上記排出口２８から排出するようにしたことを特徴とする被乾燥物の乾燥装置である。
【００１１】
本発明の請求項２に記載の被乾燥物の乾燥方法は、被乾燥物投入口１４を設けた密閉ケーシング２内を上下に貫通するように変速可能な駆動源５により回転可能に軸支された回転軸４に上部が開口する有底の乾燥槽６が取付けられ、上記回転軸４が挿通する底面近傍に下端部が位置するように垂直螺旋回転羽根１２の外周端縁が上記乾燥槽６内壁の伝熱面１０に接合されると共に、上記乾燥槽６外周全面に加熱手段１８が設けられて成り、
上記被乾燥物投入口１４から上記乾燥槽６内にバッチ投入された被乾燥物Ｍを、乾燥槽６と共に回転する上記垂直螺旋回転羽根１２の断続的な回転角加速度によって下から上へ上昇せしめられる過程で、その回転に伴う遠心力により被乾燥物Ｍを伝熱面１０に押し付け加熱せしめて含有する水分を蒸発させ、最上部に達した被乾燥物Ｍを落下空間Ｋ１を通して最下部に落下させると共に、含水率が低くなった被乾燥物Ｍを回転角加速度の増加によって上昇させて上記乾燥槽６の開口上端から溢流せしめて複数の排出口２８から排出するようにしたことを特徴とする被乾燥物の乾燥方法である。
【００１２】
本発明の請求項３に記載の被乾燥物の乾燥装置は、密閉されたケーシング４０内を上下に貫通するように該ケーシング４０の上下面に回転自在に軸支された回転軸４と、該回転軸４を回転駆動する変速可能な駆動源５と、上記回転軸４に取付けられて上記ケーシング４０内に収容され上部が開口する有底の乾燥槽３６と、該乾燥槽３６の底面近傍に下端部が位置するように上記乾燥槽３６内壁の伝熱面に平面から見て円周範囲の中で配設される複数枚の基羽根４７の外周端縁４７ａが接合された回転巻上羽根４５とから成る乾燥装置であって、
上記複数枚の基羽根４７のそれぞれは、下方に配置される基羽根４７の上端縁４３の高さ位置が、上方に配置される基羽根４７の下端縁４１と同一高さ位置または該下端縁４１の高さより高い位置に近接配置されて成り、
上記ケーシングは、被乾燥物Ｍを上記乾燥槽３６の開口部にバッチ投入する投入口１４を設けると共に、上記乾燥槽３６の開口上端からケーシング４０内へ溢れ出た被乾燥物Ｍを外部にバッチ排出する複数の排出口２８を配設し、上記乾燥槽６の外周全面には加熱手段１８が設けられて成り、
上記乾燥槽３６の内部にバッチ投入されて最下部に落下した被乾燥物Ｍが、乾燥槽３６と共に回転する上記複数の基羽根４７のそれぞれの断続的な回転角加速度によって上方に巻き上げられると共に、その回転に伴う遠心力により被乾燥物Ｍを伝熱面１０に押し付けることにより薄膜状に広げられ加熱せしめて含有する水分を蒸発させ、最上部に達した被乾燥物Ｍを落下空間Ｋ１を通して最下部に落下させると共に、含水率が低くなった被乾燥物Ｍを回転角加速度の増加によって上記乾燥槽３６の開口上端から溢流せしめて上記排出口２８から排出するようにしたことを特徴とする被乾燥物の乾燥装置である。
【００１３】
本発明の請求項４に記載の被乾燥物の乾燥方法は、被乾燥物投入口１４を設けた密閉ケーシング４０内を上下に貫通するように変速可能な駆動源５により回転可能に軸支された回転軸４に上部が開口する有底の乾燥槽３６が取付けられ、該乾燥槽３６内壁の伝熱面１０には、上記回転軸４が挿通する底面近傍に下端部が位置するように平面から見て円周範囲の中で配設される複数枚の基羽根４７の外周端縁４７ａが接合され、上記複数枚の基羽根４７のそれぞれは、下方に配置される基羽根４７の上端縁４３の高さ位置が、上方に配置される基羽根４７の下端縁４１と同一高さ位置または該下端縁４１の高さより高い位置に近接配置されるとともに、上記乾燥槽６外周全面には加熱手段１８が設けられて成り、
上記被乾燥物投入口１４から上記乾燥槽内にバッチ投入された被乾燥物Ｍを、乾燥槽３６と共に回転する上記複数の基羽根４７のそれぞれの断続的な回転角加速度によって上方に巻き上げられると共に、その回転に伴う遠心力により被乾燥物Ｍを伝熱面１０に押し付けることにより薄膜状に広げられ加熱せしめて含有する水分を蒸発させ、最上部に達した被乾燥物Ｍを落下空間Ｋ１を通して最下部に落下させると共に、含水率が低くなった被乾燥物Ｍを回転角加速度の増加によって上昇させて上記乾燥槽３６の開口上端から溢流せしめて上記排出口２８から排出するようにしたことを特徴とする被乾燥物の乾燥方法である。
【発明の効果】
【００１４】
本発明は以下の効果を奏する。
【００１５】
請求項１に記載の発明によれば、垂直螺旋回転羽根の外周端縁を乾燥槽内壁の伝熱面に接合して乾燥槽と一体回転させる構成とすることで、被乾燥物の内部に含まれる小さい固体状の塊が垂直螺旋回転羽根の外周端縁と乾燥槽内壁の間隙に挟まれることがないため、駆動源に過大な負荷を与えることなく乾燥槽を運転することができる。
【００１６】
請求項２に記載の発明によれば、垂直螺旋回転羽根の外周端縁を伝熱面に接合した乾燥槽と共に上記垂直螺旋回転羽根を一体回転させる際に、回転軸に断続的な回転角加速度を与えることにより乾燥槽にバッチ投入された被乾燥物を効率良く乾燥することができる。
【００１７】
請求項３に記載の発明によれば、複数枚の基羽根の外周端縁を平面から見て円周範囲の中で配設されるように乾燥槽内壁の伝熱面に接合して乾燥槽と一体回転させる構成とすることで、被乾燥物の内部に含まれる小さい固体状の塊が複数枚の基羽根の外周端縁と乾燥槽内壁の間隙に挟まれることがないため、駆動源に過大な負荷を与えることなく乾燥槽を運転することができる。
【００１８】
請求項４に記載の発明によれば、回転巻上羽根を構成する複数枚の基羽根の外周端縁を平面から見て円周範囲の中で配設されるように伝熱面に接合した乾燥槽と共に上記回転巻上羽根を一体回転させる際に、回転軸に断続的な回転角加速度を与えることにより乾燥槽にバッチ投入された被乾燥物を効率良く乾燥することができる。
【発明を実施するための最良の形態】
【００１９】
本発明の実施例を以下に説明する。
【実施例１】
【００２０】
本発明の実施例を図面に基づいて説明すると、先ず図1は本発明の実施例１における垂直螺旋回転羽根を用いた乾燥槽の断面図、図２は被乾燥物を伝熱面に押し付けた状態を示す垂直螺旋回転羽根の縦断面図である。
【００２１】
最初に被乾燥物の乾燥装置に付き図１に基いて説明する。この乾燥装置１は、密閉されたケーシング２内を上下に貫通するようにこのケーシング２の上下面に回転自在に軸支された回転軸４と、この回転軸４を回転駆動する駆動源としての変速機付きギャードモータ５と、回転軸４の上下に取付けられてケーシング２内に収容され上部が開口する有底の乾燥槽６と、この乾燥槽６の底板６ａ上面の近傍に下端部が位置するように乾燥槽６内壁の伝熱面１０に外周端縁１２ａが溶接接合された垂直螺旋回転羽根１２とから構成されている。
【００２２】
上記ケーシング２の上面ないし下面には、ケーシング２の内部を上下に貫通する回転軸４の上下端部を支持する一対のラジアル軸受ＲＢが設けられ、ケーシング２の下面８上部には回転軸４の段付き部下端を支持するスラスト軸受ＳＢが設けられている。
【００２３】
上記ケーシング２の上面には、例えば水分、油分を多く含む液状体、或いはスラリー状の半固体から成る被乾燥物Ｍを乾燥槽６の開口部を通してバッチ投入する投入口１４が設けられていて、この投入口１４には上記被乾燥物Ｍをスクリューコンベア１６の供給口が接続されている。
【００２４】
上記乾燥槽６の外周全面には、加熱蒸気を循環させる加熱手段となるジャケットが設けられており、ラジアル軸受ＲＢを挿通した回転軸４の上端に形成された上部連通路２４ａにはロータリージョイント２２が取付けられ、このロータリージョイント２２には加熱蒸気を導入する導入管２０ａが接続されている。
【００２５】
回転軸４の上方には乾燥槽６の上部を支持する一対のアーム２５が設けられ、これらアーム２５には上部連通路２４ａとジャケット１８の上端を連通する導入路が形成されている。
【００２６】
一方、ジャケット１８の下端に接続された導出管２６は、回転軸４の下部に形成された下部連通路２４ｂとスラスト軸受ＳＢの上部に接続されており、下部連通路２４ｂの下端に取付けられたロータリージョイント２２にはジャケット１８内の加熱蒸気を図示しないボイラーに循環させる排出管２０ｂが接続されている。
【００２７】
ケーシング２の外側面周囲には、乾燥槽６の開口上端からケーシング２内へ溢れ出た被乾燥物Ｍを外部に排出する複数の乾燥物排出管２８が配設されており、これら乾燥物排出管２８の入口に対応するようにケーシング２の内壁に環状のガイド板３２が接合されると共にこのガイド板３２の直上には溢れ出た被乾燥物Ｍをガイド板３２に導く環状の庇板３０がジャケット１８に接合されている。尚、本実施例では加熱手段として加熱蒸気を循環させるジャケットを用いた例について説明したが、これに代えて電気加熱装置や温水加熱装置を使用することも可能である。
【００２８】
従って、上記のように構成された実施例１に係る乾燥装置によれば、垂直螺旋回転羽根１２の外周端縁１２ａを乾燥槽６内壁の伝熱面１０に接合して上記乾燥槽６と一体回転させる構成とすることで、被乾燥物Ｍの内部に含まれる小さい固体状の塊が垂直螺旋回転羽根１２の外周端縁と乾燥槽内壁の間隙に挟まれることがないため、駆動源に過大な負荷を与えることなく運転することができる。
【実施例２】
【００２９】
次に、垂直螺旋回転羽根１２を使用した乾燥槽６による被乾燥物の乾燥方法に付き図１、図２を参照して説明する。
【００３０】
本実施例２に係る被乾燥物の乾燥方法に使用される乾燥槽は、実施例１で説明した乾燥槽と同一構成のものが使用されるので重複する構成部分は同一符号を付してその説明を省略する。
【００３１】
スクリューコンベア１６によりケーシング２の投入口１４から被乾燥物Ｍが乾燥槽６内に直接バッチ供給されると、この被乾燥物Ｍは、乾燥槽６と共に変速機付きギャードモータ５により回転軸４を介して回転駆動される垂直螺旋回転羽根１２の断続的な回転角加速度によって下から上へ上昇Ｕせしめられ、その過程で、乾燥槽６の回転に伴う遠心力により被乾燥物Ｍを伝熱面１０に押し付け加熱せしめて含有する水分を蒸発させる。尚、この変速機付きギャードモータ５は、回転数を変速機により加速ないし減速することができ所望の回転角加速度を出力できるように制御できるものである。
【００３２】
ここで、回転角加速度について簡単に説明すると、角加速度は、角加速度＝角速度の変化／時間（ｒａｄ／ｓ２）で表わされる。半径ｒで円運動する物体ｐの接線方向の加速度をａｔ、回転中心を向く求心加速度をａｒとすると両者のベクトルの合力ａが角加速度となる。すなわち、角速度ωで半径ｒの円運動を行なう物体の速さｖは、ｖ＝ｒ・ωで表わされ、ａｔ＝ｒ・ａの関係が得られる。半径ｒの横軸に対する角度をθ、時間をｔとすると、ａ＝ｄω／ｄｔ＝ｄ２θ／ｄｔ２となる。
【００３３】
図２に示すように垂直螺旋回転羽根１２の断続的な回転角加速度によって下から上へ上昇Ｕせしめられて最上段に達した被乾燥物Ｍは、落下空間Ｋ１を通して上から下へ落下Ｄせしめ、再び下から上へ上昇せしめられる。そして、上記被乾燥物Ｍを下から上へ上昇せしめる際上記被乾燥物Ｍを空間Ｋ２に臨ませつつ、螺旋状に上昇Ｕせしめるとき被乾燥物Ｍを伝熱面に沿わせる。
【００３４】
被乾燥物Ｍの上昇過程に於いて、垂直螺旋回転羽根１２の回転Ｒに伴う遠心力によって伝熱面１０で被乾燥物Ｍを加熱せしめ、被乾燥物Ｍが含有する水分を蒸発させる。
【００３５】
次に、水分蒸発によって他の被乾燥物Ｍより軽くなった被乾燥物Ｍを、含水率の高い被乾燥物Ｍと入れ換えるようにして蒸発面Ｆに移動せしめる。蒸発面下は、螺旋状に上昇せしめる被乾燥物Ｍを空間Ｋ２に臨ませたときに、上記空間Ｋ２の空気にされる螺旋状の面である。
【００３６】
続いて、被乾燥物Ｍを蒸発面Ｆに移動せしめてこの被乾燥物Ｍを空気にさらし、更に水分蒸発させる。つまり、上記被乾燥物Ｍを上下に循環せしめ、螺旋状に上昇せしめる過程で垂直螺旋回転羽根１２の回転Ｒに伴う遠心力により伝熱面１０から蒸発面Ｆへと移動させ乾燥せしめるものである。
【００３７】
水分の蒸発によって軽くなり回転角加速度の増加によって最上部に達した被乾燥物Ｍは、矢印で示されるように乾燥槽６の開口上端から乾燥槽６の外側に溢流せしめられ、溢流した被乾燥物Ｍは、乾燥槽６外周の環状庇板３０に案内されてケーシング２内のガイド板３２上に流下し、複数の乾燥物排出管２８を通して外部に排出される。
【００３８】
従って、上記のように実施された実施例２に係る乾燥方法によれば、垂直螺旋回転羽根１２の外周端縁１２ａを伝熱面１０に接合した乾燥槽６と共に上記垂直螺旋回転羽根１２を一体回転させる際に、回転軸４に断続的な回転角加速度を与えることにより上記乾燥槽６にバッチ投入された水分を多く含む液状体或いはスラリー状の半固体の被乾燥物Ｍを効率良く乾燥することができる。
【実施例３】
【００３９】
次ぎに、回転巻上羽根を使用した乾燥槽による被乾燥物の乾燥方法に付き図３、図４を参照して説明する。図３は本発明の実施例３における回転巻上羽根を用いた乾燥槽の断面図、図４は図３のＡ−Ａ断面図である。尚、上記実施例に係る構成部分と同一構成部分については同一符号を付してその説明を省略する。
【００４０】
先ず、図３に基いて実施例３の乾燥装置に付き説明する。この乾燥装置３４は、実施例１と同様に乾燥槽３６が密閉されたケーシング４０内に収容されて、ケーシング４０内を上下に貫通する回転軸４に取付けられ変速回転可能に構成されている。
【００４１】
詳しくは、この乾燥装置３４は、ケーシング４０の上下面に回転自在に軸支された回転軸４と、この回転軸４を回転駆動する駆動源としての変速機付きギャードモータ５と、上記回転軸４に取付けられてケーシング４０内に収容され上部が開口する有底の乾燥槽３６と、この乾燥槽３６の底板３６ａ近傍に下端部が位置するように乾燥槽３６内壁の伝熱面に平面から見て円周範囲の中で配設される複数枚の基羽根４７の外周端縁が溶接接合された上下３段の回転巻上羽根４５とから構成されている。そして、複数枚の基羽根４７のそれぞれは、下方に位置する基羽根４７の終端部４３（上端縁）の高さ位置が、上方に配置される基羽根４７の始端部４１（下端縁）と同一高さ位置、または該始端部４１の高さ位置より高い位置に近接配置されている。
【００４２】
尚、前述した上下に配設された各段の回転巻上羽根４５は、上下に配置される基羽根４７の始端部と終端部が、同一高さまたは下方に配置される基羽根４７の終端部が上方に配置される基羽根４７の始端部より高い位置に近接して配置されているが、実施例１で使用される垂直螺旋回転羽根の途中を複数箇所で切断して、切断した下方の基羽根の終端部が上方に位置する基羽根の始端部の下方に重なるように構成して、数段からなる回転巻上羽根として構成することもできる。
【００４３】
従って、上記のように構成された実施例３に係る乾燥装置によれば、複数枚の基羽根４７を平面から見て円周範囲の中で配設されるようにその外周端縁４７ａを乾燥槽内壁の伝熱面に接合して乾燥槽と一体回転させる構成とすることで、被乾燥物の内部に含まれる小さい固体状の塊が複数枚の基羽根の外周端縁と乾燥槽内壁の間隙に挟まれることがないため、駆動源に過大な負荷を与えることなく乾燥槽を運転することができる。
【実施例４】
【００４４】
次に、回転巻上羽根４５を使用した乾燥槽３６による被乾燥物の乾燥方法に付き図３、図４を参照して説明する。
【００４５】
本実施例４に係る被乾燥物の乾燥方法に使用される乾燥槽は、実施例３で説明した乾燥槽と同一構成のものが使用されるので重複する構成部分は同一符号を付してその説明を省略する。
【００４６】
図３に示すように、本実施例の乾燥槽に使用される回転巻上羽根４５は、複数枚の基羽根４７の外周端縁が乾燥槽３６の伝熱面１０に溶接接合された上下３段の回転巻上羽根４５から構成されている。尚、回転巻上羽根４５の段数は乾燥槽３６の容量に応じて適宜設計できるものである。
【００４７】
スクリューコンベア１６によりケーシング２の投入口１４から被乾燥物Ｍが乾燥槽３６内に直接バッチ供給されると、この被乾燥物Ｍは、乾燥槽３６と共に回転駆動される複数の基羽根４７のそれぞれの断続的な回転角加速度によって上方に巻き上げられる。
【００４８】
被乾燥物Ｍは、複数の基羽根４７のそれぞれ一端部に載せられて各基羽根４７の上端面に沿って他端部へ移動する。その後、他端部に位置する被乾燥物Ｍは乾燥槽３６の上方へ巻き上げられ、而も複数の基羽根４７を角加速度回転させることで発生した遠心力Ｐにより被乾燥物Ｍを伝熱面１０に押し付けることで、薄膜状に広げられて被乾燥物Ｍを乾燥させるものである。
【００４９】
伝熱面１０に押し付けられた被乾燥物Ｍは、一側で伝熱面１０に接触する面を有すると共に、他側で空間Ｋ２の空気と接触する蒸発面Ｆを有する。そして、伝熱面１０に接触した被乾燥物Ｍは、伝熱面１０からの熱によりその場である程度の水分蒸発がある。
【００５０】
伝熱面１０との接触時に伝熱面１０からの熱によりある程度の水分蒸発があり、水分蒸発によって含水率の少なくなった被乾燥物Ｍは、含水率の高い被乾燥物Ｍと入れ換わるように蒸発面Ｆに移動する。そして、蒸発面Ｆに移動した被乾燥物Ｍは空間Ｋ２の空気にさらされることで更に水分蒸発が進む。
【００５１】
被乾燥物Ｍは、伝熱面１０に押し付けられて伝熱面１０側から蒸発面Ｆへ移動するが、これと同時に上方への巻き上げと、後から巻き上げる被乾燥物Ｍが先に巻き上げた被乾燥物Ｍを押し、被乾燥物Ｍは伝熱面１０に沿って上昇していく。つまり、被乾燥物Ｍは伝熱面１０から蒸発面Ｆへの移動を行ないつつ、伝熱面１０に沿って上昇していく。
【００５２】
最上部に達した被乾燥物を落下空間を通して最下部に落下させると共に、含水率が低くなった被乾燥物は、回転角加速度の増加によって上昇させて上記乾燥槽３６の開口上端から溢流せしめ複数の乾燥物排出管２８から排出される。
【００５３】
従って、上記のように実施された実施例４に係る乾燥方法によれば、回転巻上羽根４５を構成する複数枚の基羽根４７を、平面から見て円周範囲の中で配設されるように外周端縁４７ａを伝熱面１０に接合した乾燥槽３６と共に上記回転巻上羽根４５を一体回転させる際に、回転軸４に断続的な回転角加速度を与えることにより乾燥槽３６にバッチ投入された被乾燥物Ｍを効率良く乾燥することができる。
【図面の簡単な説明】
【００５４】
【図１】本発明の実施例１における垂直螺旋回転羽根を用いた乾燥槽の断面図である。
【図２】本発明の実施例２における被乾燥物を伝熱面に押し付けた状態を示す垂直螺旋回転羽根の縦断面図である。
【図３】本発明の実施例３及び実施例４における回転巻上羽根を用いた乾燥槽の断面図である。
【図４】図３のＡ−Ａ断面図である。
【符号の説明】
【００５５】
１                      乾燥装置
２                      ケーシング
４                      回転軸
５                      変速機付きギャードモータ（駆動源）
６                      乾燥槽
６ａ                    底板
８                      下面
１０                    伝熱面
１２                    垂直螺旋回転羽根
１２ａ                  外周端縁
１４                    投入口
１６                    スクリューコンベア
１８                    ジャケット（加熱手段）
２０ａ                  導入管
２０ｂ                  排出管
２２                    ロータリージョイント
２４ａ                  上部連通路
２４ｂ                  下部連通路
２５                    アーム
２６                    導出管
２８                    乾燥物排出管（排出口）
３０                    庇板
３２                    ガイド板
３４                    乾燥装置
３６                    乾燥槽
３６ａ                  底板
４０                    ケーシング
４１                    始端部（下端縁）
４３                    終端部（上端縁）
４５                    回転巻上羽根
４７                    基羽根
４７ａ                  外周端縁
Ｄ                      落下
Ｆ                      蒸発面
Ｋ１                    落下空間
Ｋ２                    空間
Ｍ                      被乾燥物
Ｐ                      遠心力
Ｒ                      回転
ＲＢ                    ラジアル軸受
ＳＢ                    スラスト軸受
Ｕ                      上昇
【図１】
2006200795.tif 000003
【図２】
2006200795.tif 000004
【図３】
2006200795.tif 000005
【図４】
2006200795.tif 000006